(57)【特許請求の範囲】
【請求項１】
走査データを出力するシフトレジスタと、
前記走査データ出力に基づいて画素を選択する制御信号を出力する複数の制御回路と、
を有するカラー固体撮像装置の駆動装置であって、
前記シフトレジスタと前記制御回路の間の信号経路中に配され、前記シフトレジスタが出力する走査データを、前記複数の制御回路のいずれかに出力する選択手段を有し、
前記選択手段は、読み出しモード制御パルスにより複数の読み出しモードを切り替え可能であり、
さらに、前記読み出しモード制御パルスがＬｏｗの時にＯＮとなる第１及び第２のスイッチと、前記読み出しモード制御パルスがＨｉｇｈの時にＯＮとなる第３及び第４のスイッチと、を有し、
前記シフトレジスタの第ｎ段目の走査データが直接第１の制御回路へ供給され、
前記シフトレジスタの第ｎ＋１段目の走査データが、前記第１のスイッチの入力部と、前記第３のスイッチの入力部へ供給され、前記第１のスイッチの出力部と前記第２のスイッチの出力部とが、第２の制御回路と接続されており、
前記シフトレジスタの第ｎ＋２段目の走査データが直接第３の制御回路へ供給され、
前記シフトレジスタの第ｎ＋３段目の走査データが直接第４の制御回路へ供給され、
前記シフトレジスタの第ｎ＋４段目の走査データが、前記第２のスイッチの入力部及び、前記第４のスイッチの入力部へ供給され、前記第３のスイッチの出力部と、前記第４のスイッチの出力部とが、第５の制御回路と接続されており、
前記第１〜５の制御回路は隣接する５行の画素行に画素制御パルスを供給することを特徴とするカラー固体撮像装置の駆動装置。
【請求項２】
請求項１に記載のカラー固体撮像装置の駆動装置と、前記駆動装置からの制御信号により各画素の信号が選択されて読み出される画素領域とを有するカラー固体撮像装置。
【請求項３】
複数の画素を含む画素行を複数有する画素領域と、
走査データを出力するシフトレジスタと前記走査データ出力に基づいて前記画素行を選択するための制御信号を出力する複数の制御回路とを有し、前記画素領域に配された画素の信号を読み出す駆動装置と、を有するカラー固体撮像装置であって、
前記シフトレジスタと前記制御回路の間の信号経路中に配され、前記シフトレジスタが出力する走査データに基づいて、前記複数の制御回路のいずれかに画素制御パルスを出力する選択手段を有し、
前記選択手段は、
前記複数の画素行の信号を配置順と同じ順番で読み出すように、前記シフトレジスタから出力される走査データの順番と画素制御パルスとの順番を変更することなく各前記制御回路へ出力する第１の読み出しモードと、
前記シフトレジスタから出力される走査データの順番を変更して出力する第２の読み出しモードと、を有し、
さらに、前記読み出しモード制御パルスがＬｏｗの時にＯＮとなる第１及び第２のスイッチと、前記読み出しモード制御パルスがＨｉｇｈの時にＯＮとなる第３及び第４のスイッチと、を有し、
前記シフトレジスタの第ｎ段目の走査データが直接第１の制御回路へ供給され、
前記シフトレジスタの第ｎ＋１段目の走査データが、前記第１のスイッチの入力部と、前記第３のスイッチの入力部へ供給され、前記第１のスイッチの出力部と前記第２のスイッチの出力部とが、第２の制御回路と接続されており、
前記シフトレジスタの第ｎ＋２段目の走査データが直接第３の制御回路へ供給され、
前記シフトレジスタの第ｎ＋３段目の走査データが直接第４の制御回路へ供給され、
前記シフトレジスタの第ｎ＋４段目の走査データが、前記第２のスイッチの入力部及び、前記第４のスイッチの入力部へ供給され、前記第３のスイッチの出力部と、前記第４のスイッチの出力部とが、第５の制御回路と接続されており、
前記第１〜５の制御回路は隣接する５行の画素行に画素制御パルスを供給することを特徴とするカラー固体撮像装置。
【請求項４】
更に、加算手段を有することを特徴とする請求項３に記載のカラー固体撮像装置。
【発明の詳細な説明】
【技術分野】
【０００１】
本発明は、カラー固体撮像装置の駆動装置に関するものである。
【背景技術】
【０００２】
従来、ＸＹアドレス方式のカラー固体撮像装置として、特許文献１に記載されているＣＭＯＳセンサが知られている。特許文献１には、比較的低い解像度の画像信号を高速に読み出すために、撮像装置内で垂直方向及び水平方向の画素信号を加算する手段が提案されている。具体的には列ごとに設けられた増幅手段で垂直方向の画素信号を加算する方式が開示されている。
【０００３】
また特許文献２ではＲＧＢのベイヤー配列の間引き、加算読み出しの手法が開示されている。
【特許文献１】特開２００３−０１８４６９号公報
【特許文献２】特開２００４−２６６３６９号公報
【発明の開示】
【発明が解決しようとする課題】
【０００４】
しかし、特許文献２に記載されているようなベイヤー配列のカラー固体撮像装置において、特許文献１に開示された構成を用いて加算を行なうことはできない。これは、単純に垂直方向に連続して配置された２画素を加算すると色が混ざってしまうためである。これに対して、異なる色の画素の信号が混ざらないように、画素を間引いて加算を行なうことも考えられる。しかしながら画素を間引いた場合にはその分だけ解像度が落ちる。また、シフトレジスタの代わりにデコーダを使用すれば、アドレス指定により任意の行を選択できるため、特許文献２のような加算を行なうことが可能である。しかし、デコーダはシフトレジスタに比べて回路規模が大きく、また、アドレス制御を行うタイミングジェネレータ動作も複雑となる。このような課題はベイヤー配列に限られたものではなく、異なる色を間に介して同色の複数の画素が配置された場合には起こりうる。
【０００５】
本発明は上記課題に鑑み、簡易な構成で、異なる色を間に介して配置された同色の複数画素の信号を、間引くことなく連続して読み出すことが可能な構成を提供することを目的とする。
【課題を解決するための手段】
【０００６】
以上の課題に鑑み、本発明は、走査データを出力するシフトレジスタと、前記走査データ出力に基づいて画素を選択する制御信号を出力する複数の制御回路と、を有するカラー固体撮像装置の駆動装置であって、前記シフトレジスタと前記制御回路の間の信号経路中に配され、前記シフトレジスタが出力する走査データを、前記複数の制御回路のいずれかに出力する選択手段を有することを特徴とする。
【発明の効果】
【０００７】
本発明によれば、簡易な構成で同色の画素の信号を連族で読み出すことが可能となる。
【発明を実施するための最良の形態】
【０００８】
（実施例１）
図１は実施例１のカラー固体撮像装置の駆動装置及び、画素領域の一部の概略図である。図１において１０１はシフトレジスタユニットである。このシフトレジスタユニットについて図２を用いて詳細に説明する。シフトレジスタユニット１０１は、第１のスイッチ２０２、第１のインバータ２０３、第２のスイッチ２０４、第２のインバータ２０５が直列に接続された構成を含んでいる。第３のスイッチ２０６及び第３のインバータ２０７は、第１のインバータ２０３の入力ノードに接続されている。これらは、第１のインバータの入力ノードの電位を保持するためのフィードバック回路として機能している。同様の目的で、第４のスイッチ２０８、第４のインバータ２０９が、第２のインバータ２０５の入力ノードに接続されている。また、リセットＭＯＳトランジスタ２１０は、第１のインバータ２０３の入力ノードの電位をリセットするために設けられている。以上のように構成されたシフトレジスタユニットが多段に縦続接続されることでシフトレジスタ全体が構成されている。そしてこのシフトレジスタから順次、パルスＳＲ１，ＳＲ２・・・（走査データ）が出力される。
【０００９】
次に１０２はシフトレジスタの走査データ出力に基づいて各画素行に制御信号を出力する制御回路である。各画素行に対応して１つの制御回路が設けられており、駆動装置全体で複数の制御回路を有している。Ｒｍｎ、Ｇｍｎ、Ｂｍｎ、・・・は各画素を示している。Ｒが赤色画素、Ｇが緑色画素、Ｂが青色画素をそれぞれ示す。画素が二次元状に配されることにより画素領域が構成され、各画素に各色が対応したべイヤー配列のカラーフィルタが設けられている。言い換えると画素行が複数配されている構成である。添字ｍｎは、その画素が、ｍ画素列目、ｎ画素行目に配されていることを示している。後述する他の実施例においても同様である。
【００１０】
１０３はシフトレジスタ１０１と制御回路１０２の間の信号経路中に配され、シフトレジスタが出力する走査データを、後段の複数の制御回路のいずれかに出力する選択手段である。選択手段１０３は複数のスイッチ１０３ａ〜ｈを含んで構成されている。更にこれらのスイッチを制御するためにΦＡＤＤ（読み出しモード制御パルス）が供給される。スイッチ１０３ａ及び１０３ｃの入力にパルスＳＲ１が供給され、スイッチ１０３ｂ及び１０４ｄの入力にパルスＳＲ２が供給される。そして、パルスＳＲ３は直接選択手段１０２３に供給される。スイッチ１０３ｅ及び１０３ｇの入力にパルスＳＲ４が供給され、スイッチ１０３ｆ及び１０４ｈの入力にパルスＳＲ５が供給される。そして、パルスＳＲ６は選択手段１０２６に直接供給される。また、スイッチ１０３ａと１０３ｂ、１０３ｃと１０３ｄ、１０３ｅと１０３ｆ、１０３ｇと１０３ｈとはそれぞれΦＡＤＤにより相補的に動作する。
【００１１】
具体的に選択手段の回路構成を説明する。選択手段１０３は読み出しモード制御パルスがＬｏｗの時にＯＮとなる第１のスイッチ１０３ａおよび第２のスイッチ１０３ｄと、読み出しモード制御パルスがＨｉｇｈの時にＯＮとなる第３のスイッチ１０３ｂ及び第４のスイッチ１０３ｃとを有している。そして、第１のスイッチの出力部と前記第３のスイッチの出力部とが、第１の制御回路と接続され、前記第２のスイッチの出力部と前記第４のスイッチの出力部とが、第２の制御回路と接続されている。
【００１２】
次に、シフトレジスタから選択手段へのパルスの供給関係について説明する。シフトレジスタ１０１の第ｎ段目の走査データが、第１のスイッチの入力部及び第４のスイッチの入力部に供給され、第ｎ＋１段目の走査データが、第２のスイッチの入力部及び第３のスイッチの入力部に供給されるように接続されている。そして、シフトレジスタの第ｎ＋２段目の走査データが直接第３の制御回路に供給されるように接続されている。このような構成により、第１、２、３の制御回路は隣接する３行の画素行にパルスを供給することが可能となる。これら選択手段のスイッチが繰り返し配置され、これ以降の画素行に制御パルスを供給する構成となっている。
【００１３】
次に図３を用いて制御回路１０２について詳細に説明する。図３は制御回路１０２の回路図である。前段の回路（後述の選択手段）からの出力信号と、画素の駆動信号ΦＳＥＬ、ΦＲＥＳ、ΦＴＸとのそれぞれとのＡＮＤをとり、各画素行に制御信号（画素制御パルス）を出力する。画素制御パルスΦＳＥＬ、ΦＲＥＳ、ΦＴＸは不図示のパルス生成部から供給される。次に図４を用いてΦＳＥＬ、ΦＲＥＳ、ΦＴＸの供給先である画素構成を説明する。図４の４０６は、シフトレジスタ及び制御回路を含む駆動装置（駆動回路）である。４０１は光電変換素子として機能するフォトダイオードである。４０２は転送スイッチ、４０３はリセットスイッチ、４０４は選択スイッチである。４０２、４０３、４０４は例えばＭＯＳトランジスタを用いて構成することができる。
【００１４】
４０８は増幅ＭＯＳトランジスタである。増幅ＭＯＳトランジスタ４０８はフォトダイオードの光電変換信号に基づく信号を増幅して出力するソースフォロワ回路の一部を構成している。４０９で囲った素子により画素が構成される。図４のＴＸ１、ＲＥＳ１、ＳＥＬ１は図３に対応しており、ＴＸは転送スイッチ４０２を制御し、ＲＥＳはリセットスイッチ４０３を制御し、ＳＥＬは選択スイッチ４０４を制御する。また画素の構成はこれに限られるものではなく、増幅ＭＯＳトランジスタのゲートの電位を制御することにより画素を選択する構成を用いることもできる。この場合には選択スイッチが必要なくなるため、パルス供給線ＳＥＬも必要なくなる。また隣接する光電変換素子で画素を構成する各素子を共通に用いることも可能である。この場合も各光電変換素子あたりの画素制御パルス供給線の本数は図４の構成よりも少なくなる。
【００１５】
４０５は画素の信号を列ごとに設けられた列回路へ出力するための垂直信号線である。４０７は列回路であり、垂直出力線により出力された複数の画素信号の加算を行う加算回路を有している。加算回路の一例としては上述した列ごとに設けられた増幅手段を用いることができる。もしくは複数の信号保持手段を有し、各信号保持手段に各行ごとの信号を一旦保持した後に、加算や平均処理を行なう回路であってもよい。またこの列回路はノイズキャンセルやマルチプレクスの機能を有するもののみで構成され、信号の加算は撮像装置の外部で行なうこともできる。
【００１６】
画素信号を読み出すための画素制御パルスΦＳＥＬ、ΦＲＥＳ、ΦＴＸの詳細なパルス波形は既に公知であるのでここでは省略する。シフトレジスタからの出力信号が、制御回路に入力されることにより、制御回路に対応した行の画素の信号を読み出すことができる。
【００１７】
次に、図１〜３で説明した駆動装置の動作を図５、６のタイミングチャートを参照して説明する。いずれのスイッチもパルスがＨｉｇｈの際にスイッチが導通（オン）、もしくはそのスイッチがオン状態であることを示す。これは後述する他の実施例においても同様である。
【００１８】
まずリセットパルスΦＳＲＲＥＳがＨｉｇｈになることによりリセットＭＯＳトランジスタ２１０がオンし、各シフトレジスタユニットの第１のインバータの入力ノードの電位がＧＮＤにリセットされる。その後、走査データΦＤＡＴＡが入力され、ΦＣＬＫ１、ΦＣＬＫ２により各スイッチがオン、オフすることによって走査データが順次シフトしていく。この動作は後述する読み出しモードによらず変わらない。
【００１９】
本実施例では、シフトレジスタの動作は変更することなく、制御回路１０３により複数の読み出しモードを選択可能である。具体的には、図１の読み出しモード制御パルス（ΦＡＤＤ３）の信号により駆動パルスの各画素列への供給順番を異ならせることが可能である。まず図６（ａ）のようにΦＡＤＤ３がＬｏｗの場合についての動作を駆動タイミングパルス図で説明する。具体的にはスイッチ１０３ａ，ｄ，ｅ，ｈがオン、１０３ｂ，ｄ，ｆ，ｇがオフとなる。このように選択手段に含まれる各スイッチが制御されることにより、選択手段から制御回路へのパルスがＰ１、Ｐ２・・・Ｐ５，Ｐ６という順に供給される。これにより、Ｒ１１、Ｇ１２、Ｒ１３、Ｇ１４、Ｒ１５、Ｇ１６・・・とＲとＧが交互に選択され、読み出される。これは通常の画素配置に従って順次信号を読み出すモードとなる。これを第１の読み出しモードとする。
【００２０】
次にΦＡＤＤ３がＨｉｇｈの場合に関して説明する。ΦＡＤＤ３をＨｉｇｈにすると図６（ｂ）のように選択手段１０３中の切り替えスイッチが開閉する。つまり、１０３ａ，ｄ，ｅ，ｈがオフ、１０３ｂ，ｄ，ｆ，ｇがオンとなる。このように選択手段内のスイッチが制御されることにより、Ｐ２，Ｐ１，Ｐ３，Ｐ５，Ｐ４，Ｐ６の順で選択手段から各制御回路へパルスが供給される。これにより、Ｇ１２、Ｒ１１、Ｒ１３、Ｒ１５、Ｇ１４、Ｇ１６・・・というように同色の信号がそれぞれ３画素連続で読み出される。つまり間に異なる色を挟んで配された複数の同色の画素信号が連続して読み出される。これを第２の読み出しモードとする。
【００２１】
このように本実施形態によれば、通常の画素配置のとおりに読み出す駆動方式（第１の読み出しモード）と、異なる色を間に配し離間して配置された複数の同色画素の信号を連続して読み出す駆動方式（第２の読み出しモード）とを切り替えることが可能である。そしてこれら読み出しモードを、シフトレジスタ自体の動作を変化させることなく、選択手段である切り替えスイッチを制御することだけで切り替えることができる。第２の読み出しモードによれば、後段での加算処理を行なう場合に、信号の並べ替えなどを行なう必要がなくなる。たとえば特許文献１のような加算方式を用いて加算を行なう際にも色が混ざることなく、画素間引きなしの同色３画素加算を行なうことができる。追加した回路は切り替えスイッチのみであり回路規模は小さく、さらに、切り替えスイッチの制御は読み出しモード制御パルスの一つのみで達成できる。またこの読み出しモード制御パルスは図４で示したパルス生成部、制御部４０８から供給することができる。制御部４０８は駆動装置と一体的に構成されていてもよいし、カラー固体撮像装置と一体的に構成されていてもよい。もしくはカラー固体撮像装置外部に設けられてもよい。
【００２２】
以上述べたように、本実施形態によれば大規模な回路を追加することなく、簡易な構成で異なる色を間に配し離間して配置された複数の同色画素の信号を連続して読み出すことが可能なカラー固体撮像装置の駆動装置を提供できる。このように読み出すことによって、同色の信号を間引くことなく加算を行なうことが可能となる。
【００２３】
（実施例２）
図７は本実施例の固体撮像装置の駆動装置の概略図である。実施例１と異なるのは選択手段の構成である。７０３ａ〜ｈは選択手段７０３に含まれるスイッチである。実施例２において実施例１と同様の機能を有するものには同様の符号を付し、詳細な説明は省略する。具体的に選択手段の回路構成を説明する。
【００２４】
選択手段７０３は、読み出しモード制御パルスがＬｏｗの時にＯＮとなる第１のスイッチ７０３ａ及び第２のスイッチ７０３ｄと、読み出しモード制御パルスがＨｉｇｈの時にＯＮとなる第３のスイッチ７０３ｂ及び第４のスイッチ７０４ｃとを有している。
【００２５】
次に、選択手段に含まれるスイッチの接続関係と、シフトレジスタから選択手段へのパルスの供給関係とについて説明する。シフトレジスタの第ｎ段目の走査データが直接第１の制御回路へ供給される。次に第ｎ＋１段目の走査データが、第１のスイッチの入力部及び第３のスイッチの入力部へ供給され、更に第１のスイッチの出力部と、第２のスイッチの出力部とが、第２の制御回路と接続されている。そして、第ｎ＋２段目の走査データが直接第３の制御回路へ供給され、第ｎ＋３段目の走査データが直接第４の制御回路へ供給される。更に、第ｎ＋４段目の走査データが、第２のスイッチの入力部及び、第４のスイッチの入力部へ供給され、第３のスイッチの出力部と第４のスイッチの出力部とが、第５の制御回路と接続されている。そして、第１〜５の制御回路は隣接する５行の画素行にパルスを供給するように構成され、これらスイッチが繰り返し配置され、これ以降の画素行に制御パルスを供給する構成となっている。
【００２６】
図７の駆動装置の動作を図８、９のタイミングチャートを参照しながら説明する。本実施例における読み出しモード制御パルスはΦＡＤＤ５である。
【００２７】
まずリセットパルスΦＳＲＲＥＳをＨｉｇｈにすることによりリセットＭＯＳトランジスタ２１０がオンし、各シフトレジスタユニットの第１のインバータの入力ノードの電位がＧＮＤにリセットされる。その後、走査データΦＤＡＴＡが入力され、ΦＣＬＫ１、ΦＣＬＫ２により各スイッチがオン、オフすることによって走査データが順次シフトしていく。
【００２８】
まずΦＡＤＤ５がＬｏｗの場合の読み出しモードについて説明する。ΦＡＤＤ５がＬｏｗ状態の場合には、図９（ａ）に示すような状態となる。つまり、７０３ａ，ｄ，ｅ，ｈはオンし、７０３ｂ，ｃ，ｆ，ｇはオフとなる。このように選択手段７０３に含まれる各スイッチが制御されることにより、選択手段から制御回路へのパルスが、Ｐ１，Ｐ２・・・・Ｐ９，Ｐ１０の順で供給される。これにより、Ｒ１１、Ｇ１２、Ｒ１３、Ｇ１４、Ｒ１５、Ｇ１６・・・とＲとＧが交互に選択され読み出される。つまり画素の配列順どおりに読み出される。これを第１の読み出しモードとする。
【００２９】
次にΦＡＤＤ５がＨｉｇｈの場合に関して説明する。ΦＡＤＤ５をＨｉｇｈにすると、図９（ｂ）に示すような状態になる。つまり、７０３ａ，ｄ，ｅ，ｈがオフ、７０４ｂ，ｄ，ｆ，ｇがオンとなる。このように選択手段内のスイッチが制御されることにより、Ｐ１，Ｐ５，Ｐ３，Ｐ４、Ｐ２，Ｐ６，Ｐ１０，Ｐ７，Ｐ８，Ｐ６の順でパルスが供給される。これにより、Ｒ１１、Ｒ１５、Ｒ１３、Ｇ１４，Ｇ１２、Ｇ１６、Ｇ１１０、Ｇ１８、Ｒ１９、Ｒ１７・・・というように同色画素の信号がそれぞれ５画素連続で読み出される。これを第２の読み出しモードとする。これは実施例１の第１の読み出しモードと同様、同色画素の複数の信号を後段の加算回路により加算する場合に適した読み出し方法である。更に、本実施例においては５画素の同色画素の信号を加算することが可能となる。
【００３０】
つまり実施例１と同様に、間に異なる色を挟んで配された複数の同色の画素信号を、連続して読み出すことが可能となる。読み出しモード制御パルスにより上述の第１の読み出しモードと、第２の読み出しモードを切り替えることができる。更に本実施例によれば、実施例１に比べて連続して出力される同色の信号の数が５画素分と画素数が増やすことが可能である。
【００３１】
このように異なる色を間に配し離間して配置された複数の同色画素の信号を連続して読み出すことができるので、後段での加算処理の際に、信号の並べ替えなどを行なう必要がなくなる。追加した回路は切り替えスイッチのみであり回路規模は小さく、さらに、切り替えスイッチの制御は少なくとも読み出しモード制御パルスがあれば行なうことができる。実施例１のΦＡＤＤ３と同様に、ΦＡＤＤ５は図４で示したパルス生成部、制御部４０８から供給することができる。
【００３２】
（実施例３）
図１０は本実施例のカラー固体撮像装置の駆動装置の概略図である。本実施例において実施例１、２と異なるのは選択手段の構成である。具体的には、実施例１及び実施例２で説明した選択手段の両者を備えていることを特徴としている。つまり図１０で示すように第１の選択手段１０３、第２の選択手段７０３を有している。実施例１、２で説明した構成と同様の機能を有するものには同様の符号を付し、詳細な説明は省略する。
【００３３】
図１０の駆動装置の動作を図１１のタイミングチャートを参照して説明する。シフトレジスタの動作は実施例２と同様のものを用いることができる。
【００３４】
選択手段の動作を説明する。まず、第１の読み出しモード制御パルス（ΦＡＤＤ３）がＬｏｗ、且つ第２の読み出しモード制御パルス（ΦＡＤＤ５）がＬｏｗの場合を説明する。具体的には図１１（ａ）に示すように、１０３ａ，ｄ，ｅ，ｈがオン、１０３ｂ，ｄ，ｆ，ｇがオフ、７０３ａ，ｄ，ｅ，ｈがオン、７０３ｂ，ｃ，ｆ，ｇがオフする。このように選択手段に含まれる各スイッチが制御されることにより、選択手段から制御回路へのパルスがＰ１、Ｐ２・・・Ｐ９，Ｐ１０という順に供給される。これによりＲ１１、Ｇ１２、Ｒ１３、Ｇ１４、Ｒ１５、Ｇ１６・・・・・・と同色信号が交互に選択され、読み出される。これを第１の読み出しモードとする。
【００３５】
次にΦＡＤＤ３がＨｉｇｈ、ΦＡＤＤ５がＬｏｗの場合に関して説明する。これは実施例１の第２の読み出しモードと同様の駆動モードとなるので詳細な説明は省略する。同色画素の信号が３画素連続で出力される。具体的には図１２（ｂ）に示すように第１、２の選択手段内の各スイッチが制御される。これによりＰ２，Ｐ１、Ｐ３，Ｐ５，Ｐ４，Ｐ６，Ｐ８，Ｐ７、Ｐ９・・・の順番でパルスが供給され、同色の３画素の信号が連続で読み出される。
【００３６】
次にΦＡＤＤ３がＬｏｗ、ΦＡＤＤ５がＨｉｇｈの場合に関して説明する。これは実施例２の第２の読み出しモードと同様の駆動モードとなるので詳細な説明は省略する。図１２（ｃ）のように選択手段内の各スイッチが制御される。これにより、Ｐ１、Ｐ５、Ｐ３、Ｐ４、Ｐ２、Ｐ６、Ｐ１０、Ｐ８、Ｐ９、Ｐ７の順でパルスが供給される。これにより、Ｒ１１、Ｒ１５、Ｒ１３、Ｇ１４，Ｇ１２、Ｇ１６、Ｇ１１０、Ｇ１８、Ｒ１９、Ｒ１７・・・というように同色の５画素の信号が連続で読み出される。
【００３７】
本実施例においては、画素配置順どおりに読み出す通常モードに加えて、実施例１において説明した同色の３画素の信号を連続で読み出すモードと、実施例２において説明した同色の５画素の信号を連続で読み出しモードとを切り替えることが可能である。
【００３８】
上述のように、シフトレジスタ自体は通常の走査を行い、選択手段である切り替えスイッチを制御することだけで、それぞれ同色の３画素の信号もしくは５画素の信号を連続で読み出すことができる。
【００３９】
以上本発明に関して実施例を挙げて説明したが、発明の要旨を超えない限り、変更組み合わせは可能である。たとえば、実施例ではシフトレジスタはスタティック型を用いたが、ダイナミック型でも良い。また、画素に選択スイッチが無い場合には制御回路にもΦＳＥＬは必要ない、など様々な形態がありうるので、制御回路の形態も本実施例の形態に限定されるものではない。
【００４０】
各実施例で説明した加算方式に関して、画素の数も実施例に限定されることなく特定の画素列に含まれる画素に関して行なうことができる。たとえば加算を行なう画素の組み合わせを示す。図１２、１３は画素が二次元状に配置され各画素に対応してベイヤー配列のカラーフィルタが設けられた構成の特定の画素列を抜き出している。Ｒは赤色のカラーフィルタが設けられた画素、Ｇは緑色のカラーフィルタが設けられた画素を示す。ベイヤー配列では、異なる色を間に介して同色の画素が配置されている。具体的には、Ｒ，Ｇがそれぞれの色を介して連続して配置されている。このような画素が配置された画素領域から、間引きを行なわずに、近接する同色画素の信号を加算する方式として、同色３画素加算、同色５画素で加算を行う。実施例では画素間引きなしの垂直同色３画素加算、垂直同色５画素加算の例を示したが、３画素加算、５画素加算に限定されるものではない。
【００４１】
（撮像システムの例）
図１４は、本発明による固体撮像装置をカメラに応用する場合の回路ブロックの例を示したものである。撮影レンズ１００２の手前にはシャッター１００１があり、露出を制御する。絞り１００３により必要に応じ光量を制御し、カラー固体撮像装置１００４に結像させる。固体撮像装置１００４から出力された信号は信号処理回路１００５で処理され、Ａ／Ｄ変換器１００６によりアナログ信号からディジタル信号に変換される。出力されるディジタル信号はさらに信号処理部１００７で演算処理される。処理されたディジタル信号はメモリ１０１０に蓄えられたり、外部Ｉ／Ｆ１０１３を通して外部の機器に送られる。固体撮像装置１００４、撮像信号処理回路１００５、Ａ／Ｄ変換器１００６、信号処理部１００７はタイミング発生部１００８により制御される他、システム全体は全体制御部・演算部１００９で制御される。本発明において複数の読み出しモードを切り替えるための読み出しモード制御パルスの制御は、タイミング発生器１００８、全体制御部・演算部１００９で制御されうる。
【００４２】
記録媒体１０１２に画像を記録するために、出力ディジタル信号は全体制御部・演算部で制御される記録媒体制御Ｉ／Ｆ部１０１１を通して、記録される。
【図面の簡単な説明】
【００４３】
【図１】実施例１の駆動装置の概略図である。
【図２】実施例１の駆動装置に含まれるシフトレジスタの等価回路図である。
【図３】実施例１の駆動装置に含まれる制御回路のブロック図である。
【図４】固体撮像装置の画素領域を示す図である。
【図５】実施例１のシフトレジスタの動作タイミングチャートの概略図である。
【図６】実施例１の制御装置の回路動作を説明するための概略図である。
【図７】実施例２の駆動装置の概略図である。
【図８】実施例２の駆動装置に含まれるシフトレジスタの動作タイミングチャートの概略図である。
【図９】実施例１の制御装置の回路動作を説明するための概略図である。
【図１０】実施例３の駆動装置の概略図である。
【図１１】実施例１の制御装置の回路動作を説明するための概略図である。
【図１２】加算処理の例を説明するための図である。
【図１３】加算処理の例を説明するための図である。
【図１４】撮像システムを説明するための図である。
【符号の説明】
【００４４】
１０１  シフトレジスタ
１０２  制御回路
１０３，７０３  選択手段
【図１】
0005020739.tif 000002
【図２】
0005020739.tif 000003
【図３】
0005020739.tif 000004
【図４】
0005020739.tif 000005
【図５】
0005020739.tif 000006
【図６】
0005020739.tif 000007
【図７】
0005020739.tif 000008
【図８】
0005020739.tif 000009
【図９】
0005020739.tif 000010
【図１０】
0005020739.tif 000011
【図１１】
0005020739.tif 000012
【図１２】
0005020739.tif 000013
【図１３】
0005020739.tif 000014
【図１４】
0005020739.tif 000015